(57)【特許請求の範囲】
【請求項１】
中棒を固定するとともに中棒軸心方向に設けられた溝又は穴を有する本体と、
前記溝又は穴に差し込み抜き出し自在で、差し込まれた状態で本体から出っ張る係止部を備えた係止部材と、
を有する傘の柄。
【請求項２】
前記溝又は穴は、差し込んだときの係止部材の突き当たりが凹状である請求項１に記載の傘の柄。
【請求項３】
係止部材の係止部は貫通穴を有する請求項１または２に記載の傘の柄。
【請求項４】
請求項１から３のいずれか一に記載の傘の柄を有する傘。
【請求項５】
請求項１から３のいずれか一に記載の傘の柄に備えられる係止部材。
【発明の詳細な説明】
【技術分野】
【０００１】
本発明は、傘の柄および傘に関する。
【背景技術】
【０００２】
雨天予報の時や雨上がりの時などに、たたんだ傘と手荷物を持って屋外を歩行する場合に、片方の手で傘を持ち、もう片方の手で手荷物を持つと、両手がふさがってしまい、歩きながら携帯電話をかけるといった動作がしづらくなる。そこで、傘に手荷物を引っ掛けることで傘と手荷物の両方を片手で保持できるようにしたものとして、傘の柄（え）に手荷物を引っ掛けるためのフック等の係止部材を備えたものが従来から知られている。
【０００３】
一方、手荷物を持たずに歩行する際など、手荷物を係止部材に引っ掛ける必要がない時には、このような係止部材は不要であり、また、係止部材がない方が見栄えがよいという場合も考えられる。そこで、係止部材を傘の柄に収納可能にしたり、着脱可能にしたりしたものも知られている。例えば、収納タイプのものとしては、特許文献１に、傘の柄の側面に引っ掛け部を配置し、柄の垂直部分に軸を設け当該引っ掛け部を軸に取り付けて垂直方向に回転できるようにすることで、非使用時（荷物を引っ掛けない時）には引っ掛け部を傘の柄の形状とほぼぴったり重ねる形で収納することができ、使用時（荷物を引っ掛ける時）には引っ掛け部を略１８０度回転させることで当該引っ掛け部の湾曲部分に手荷物を引っ掛けることができるようにした傘が開示されている（特許文献１参照）。また、着脱タイプのものとしては、特許文献２に、円筒形状のフックホルダーの側面にフックを備え、使用時に当該フックホルダーを傘の柄に沿って柄の付け根付近まで通すことで当該フックに手荷物を引っ掛けることができるようにしたフックおよびフックホルダーが開示されている（特許文献２参照）。
【先行技術文献】
【特許文献】
【０００４】
【特許文献１】実開平６−５２５２６号公報
【特許文献２】実開平６−６１１１６号公報
【発明の概要】
【発明が解決しようとする課題】
【０００５】
ところで、傘をさしているときに風などで傘があおられたり揺れ動かされたりしにくいように傘をしっかり保持できることが望ましく、このためには、傘の柄が掌の中で回転しにくいような形状をしていることが望ましい。上述の手荷物を引っ掛けるためのフック等はその形状を工夫すればこのような回転防止用の部材としても利用できる。しかし、従来のものは、このような回転防止用の部材としても利用できる点には配慮されていなかった。
【０００６】
さらに、傘について解決すべき課題としては、傘立てに沢山の傘が差してある中から自分の傘を容易に判別できるようにしたり、また個性やファッション性を追求する中で、傘の柄のデザインを自分の好みに合ったものにしたいとか、いろいろな色や図柄の中からその日の気分によって好きなものを選びたいといった要請に応えられるようにしたりといった課題もある。これらの課題についても、着脱式のフック等であれば上記の様々な要請に応じて付け替えることができるため、これを利用した課題解決が可能である。
【０００７】
そこで、本発明の解決すべき課題は、傘の柄に手荷物を引っ掛けることで傘と手荷物を片手で保持でき、かつ、傘をさしているときにしっかり保持できることを可能にし、合わせて、自分の傘を容易に判別できるようにすること、及び個性やファッション性の追求に応えることを可能にした傘、傘の柄およびこれに備えられる係止部材を提供することにある。
【課題を解決するための手段】
【０００８】
以上の課題を解決するため、第一の発明は、中棒を固定するとともに中棒軸心方向に設けられた溝又は穴を有する本体と、前記溝又は穴に差し込み抜き出し自在で、差し込まれた状態で本体から出っ張る係止部を備えた係止部材とを有する傘の柄を提供する。
【０００９】
また、第二の発明は、第一の発明を基礎として、前記溝又は穴は、差し込んだときの係止部の突き当たりが凹状である傘の柄を提供する。
【００１０】
また、第三の発明は、第一または第二の発明を基礎として、係止部材の係止部が貫通穴を有する傘の柄を提供する。
【００１１】
また、第四の発明は、第一から第三のいずれか一の発明に係る傘の柄を有する傘を提供する。
【００１２】
また、第五の発明は、第一から第三のいずれか一の発明に係る傘の柄に備えられる係止部材を提供する。
【発明の効果】
【００１３】
本発明により、傘の柄に手荷物を引っ掛けることで傘と手荷物を片手で保持でき、かつ、傘をさしているときにしっかり保持できることを可能にし、合わせて、自分の傘を容易に判別できるようにすること、及び個性やファッション性の追求に応えることを可能にした傘、傘の柄およびこれに備えられる係止部材を提供することが可能となる。
【図面の簡単な説明】
【００１４】
【図１】実施例１の傘の柄の形状の一例を示す斜視図
【図２】実施例１の係止部材の形状の一例を示す図
【図３】実施例１の傘の柄の本体の形状の一例を示す図
【図４】実施例１の係止部材を傘の柄本体に取り付けたときの形状の一例を示す図
【図５】実施例１の傘の柄の本体の形状の一例を示す図
【図６】係止部材の非使用時用の部材と本体の組合せの一例を示す図
【図７】貫通穴を有する係止部材の形状の一例を示す図
【図８】様々なものを係止部材に設けた例を示す図
【図９】係止部材を傘の柄本体に取り付けた状態で傘をさしている状態の一例を示す図
【図１０】実施例１の係止部材と傘の柄本体の具体的形状、寸法の一例を示す図
【符号の説明】
【００１５】
０１１０      本体
０１２０      係止部材
０１２１      係止部
０１２２      差し込み部
０１３０      溝
０１４０      中棒
【発明を実施するための形態】
【００１６】
以下に、本発明の実施例を説明する。実施例と請求項の相互の関係は以下のとおりである。実施例１は主に請求項１、４、５などに関し、実施例２は主に請求項２などに関し、実施例３は主に請求項３などに関する。なお、本発明はこの実施例に何ら限定されるものではなく、その要旨を逸脱しない範囲において、種々なる態様で実施しうる。
【実施例１】
【００１７】
<概要>
【００１８】
本実施例の傘の柄は、中棒を固定するとともに中棒軸心方向に設けられた溝又は穴を有する本体と、前記溝又は穴に差し込み抜き出し自在で、差し込まれた状態で本体から出っ張る係止部を備えた係止部材とを有する傘の柄であり、かかる構造によって、係止部に手荷物を引っ掛けることができるようにするとともに、係止部を利用して傘をさしているときにしっかり保持できるようにしたものである。また、係止部を差し込み抜き出し自在なものとすることで、様々なデザインのものと交換できるようにして個性やファッション性にも配慮したものである。また、本実施例の傘の柄を有する傘および本実施例の傘の柄に備えられる係止部材も本実施例に係る発明に含まれる（他の実施例においても同様である）。
【００１９】
<構成>
【００２０】
（全般）
【００２１】
図１は、本実施例の傘の柄の形状の一例を示す斜視図である。このうち、図１（ａ）は、中棒０１４０に取り付けられることで中棒を固定した傘の柄の本体０１１０に係止部材０１２０を差し込んだ状態、図１（ｂ）は、係止部材０１２０を本体０１１０から抜き出した状態を示す。
【００２２】
本発明にいう「傘」には、雨傘、日傘の双方が含まれる。なお、主に想定されるのは折りたたみ式ではない傘であるが、折りたたみ式の傘であっても、傘が濡れているときなどのようにたたまない状態で持ち歩いているときに手荷物を引っ掛けたいというニーズは考えられるし、傘をさしているときにしっかり保持することができるようにする必要がある点は折りたたみ式か否かで異なるところはない。従って、本発明という「傘」は、折りたたみ式か否かを問わない。
【００２３】
なお、本発明は傘以外にも例えばステッキに応用可能なものであり、本発明と同様の構成を用いることで本発明と同様に手荷物を引っ掛けることができ、（傘とは上下逆向きになるが）しっかりと保持することができるといった効果を奏するステッキを提供することが可能となる。
【００２４】
次に、係止部材、傘の柄の本体のそれぞれの構造について簡単に説明し、その後、本発明に係る傘の柄の主な目的である、係止部を利用して傘をたたんで持ち歩いているときに手荷物を引っ掛けられるようにすること、および係止部を利用して傘をさしているときにこれを掌の中に収め、あるいはこれに掌をあてがうことで傘をしっかり保持できるようにすることを達成できるための構成について説明する。
【００２５】
（係止部材）
【００２６】
「係止部材」は、後述する傘の柄の本体に備えられた溝又は穴に差し込み抜き出し自在で、差し込まれた状態で本体から出っ張る係止部を備えた部材である。
【００２７】
図２は、本実施例の係止部材の形状の一例を示す図であり、図１に示した例と同様のものを示したものである。図２（ａ）は正面図、（ｂ）は左側面図、（ｃ）は平面図である。本図に示すように、係止部材０２２０は、係止部０２２１と、差し込み部０２２２とからなる。
【００２８】
「係止部」は手荷物を引っ掛ける際のフックなどを形成する部分であり、図２の例では親指を立てたような形状をしている。この係止部は、手荷物を引っ掛けるためのものであると同時に、傘をさしているときにこれを掌の中に収め、あるいはこれに掌をあてがうことで傘をしっかり保持できるようにするためものでもある。従って、係止部は、掌の中に収め、あるいはこれに掌をあてがって傘の柄をしっかり保持することが容易な形状、寸法を有する。
【００２９】
「差し込み部」は、後述する本体の溝又は穴に差し込むことで係止部材を本体に固定するためのものである。図２（ｃ）に破線で示したものは、差し込み部の水平断面を透視図で示したものであり、水平断面が略Ｔ字型の多角形状である例を示す。従って、図２に示す差し込み部は、かかる略Ｔ字型の断面を有する略多角柱の形状を有する。差し込み部は本体の溝又は穴と互いににぴったりと嵌り合う形状・寸法に設計されていることが望ましい。図２に示したものも、本体の溝と互いにぴったり嵌り合う形状・寸法に設計されている例である。
【００３０】
（本体）
【００３１】
図３は、本実施例の傘の柄の本体の形状の一例を示す図であり、図１に示した例と同様のものを示したものである。図３（ａ）は正面図、（ｂ）は左側面図、（ｃ）は平面図である。本図に示すように、本体０３１０は、中棒（図示を省略）を固定するとともに中棒軸心方向に設けられた溝又は穴を有する（本図は溝０３３０を有する例である）。「中棒を固定する」とは、傘の柄が中棒の先端に固定的に取り付けられていることを傘の柄の側から表現したものである。
【００３２】
溝又は穴は中棒軸心方向に設けられる。「中棒軸心方向」とは、中棒の軸心に沿った方向を意味し、図３（ａ）における矢印Ａ−Ａ´方向がこれにあたる。ただし、概ねこれに沿った方向であればよい。また、必ずしも溝又は穴が中棒軸心方向に長く（図３に即していえば縦長に）形成されている必要はなく、係止部材を差し込むときに中棒軸心方向に（図３に即していえば上から下に向かって縦方向に）差し込む方向になるように溝又は穴が設けられていればよいという意味である。
【００３３】
ここで「溝」とは、係止部材を本体に差し込んだ時に係止部材の差し込み部の一部が本体外表面に現れる形状をいい、図１、３に示した本体はいずれもかかる溝を有する例である。「穴」とは、係止部材を本体に差し込んだ時に係止部材の差し込み部が本体外表面に現れない形状をいう。
【００３４】
図５は本実施例の傘の柄の本体の形状の別の一例を示す図であって、本体が溝ではなく穴を有する例である。図５（ａ）は正面図、（ｂ）は左側面図、（ｃ）は平面図を示す。
【００３５】
溝又は穴を中棒軸心方向に設けるようにした理由は、手荷物を引っ掛けたときに手荷物の重心が通例本体より下の方にあるため係止部材が下に引っ張られる方向に働く力によって係止部材が外れることがないようにするためである。さらにいえば、後に詳しく述べるように、本体の溝又は穴は、好適には中棒側（図３（ａ）でいえば本体のうち先端に近い方（概ね破線０３２３で示す範囲）ではなく、中棒に近い方（概ね破線０３２４で示す範囲））に設けられる。そこで、手荷物を引っ掛けた際には、手荷物の重心は通例傘の柄本体の先端とは反対側の下方（図３（ａ）に即せば傘の柄本体の左下方）にあることになる。そこで、手荷物を引っ掛けたときには係止部材には当該方向（図３（ａ）における矢印Ｂ方向）に引っ張られる力が働くことになるので、溝又は穴の形状はこのような力に対してはずれにくい形状であることが望ましい。図３の溝はかかる好適な一例であって、溝がＴ字型をなしているため、左方向に引っ張られても係止部材が外れることはないとともに、溝の底面０３３１が本体外表面から奥に向かって下り坂になっているため、左下方向に引っ張られても係止部材が外れにくくなっている。このような形状を含め、溝又は穴は凹状になっていてもよい。かかる例については別の実施例にて後述する。
【００３６】
なお、傘の柄の本体の形状は、図１の例では最もポピュラーな略Ｊ字型（釣り針型と呼ばれることもある）のものを示したが、このような形状に限定されるものではなく、例えば略Ｌ字型、略Ｉ字型（円柱、四角柱など）などであってもよい。
【００３７】
（係止部材と傘の柄本体の組合せ（１）：手荷物を引っ掛けることができるための構成）
【００３８】
次に、以上に説明した係止部材を傘の柄本体に取り付ける形で両者を組み合わせることで手荷物を引っ掛けることができるようにするための構成について説明する。
【００３９】
図４は、本実施例の係止部材を傘の柄本体に取り付けたときの形状の一例を示す図であり、（ａ）は正面図、（ｂ）は左側面図、（ｃ）は平面図を示す。本図で示したのは、図２に示した係止部材を図３で示した傘の柄本体に取り付けたものであり、従って、本体が溝を有する例である。
【００４０】
図４（ａ）に現れているように、傘の柄本体０４１０の溝に対し、係止部材０４２０をその差し込み部０４２２の付け根（係止部０４２１との接合部）まで差し込むことで取り付けると、係止部がちょうど親指を立てたような形で本体の表面に突出する。そこで、このような状態で手荷物の持ち手などを係止部に引っ掛けるようにすれば、手荷物が係止部によって係止されるので、これを引っ掛けることが可能となる。
【００４１】
図４の例では、傘の柄本体の溝は中棒側に設けられ、従って係止部材も中棒側に取り付けられるようになっている。もし手荷物を引っ掛けることができるようにすることだけを目的とするのであれば、本図の例とは逆に傘の柄本体の溝を先端側に設けて係止部材を先端側に取り付けられるようにしてもよいのであるが、本発明のもう一つの目的である傘をさしたときにしっかり保持することができるようにすることも踏まえると、傘の柄本体の溝は中棒側に設けられることが望ましい（その理由については後述する）。従って、溝又は穴も好適には中棒側に設けられることになる。
【００４２】
（係止部材と傘の柄本体の組合せ（２）：傘をしっかり保持することができるための構成）
【００４３】
次に、係止部材を傘の柄本体に取り付ける形で両者を組み合わせることで傘をさしているときに傘をしっかり保持することができるようにするための構成について説明する。
【００４４】
図９は、係止部材を傘の柄本体に取り付けた状態で傘をさしている状態の一例を示す図である。本図に現れている例では、このとき係止部材が掌に完全に収められた状態になっている。このため、風などで傘があおられて回転しそうになっても、係止部材を掌の中にしっかりと保持することができるため、傘の柄が回転することをほぼ防ぐことができ、傘をしっかりと保持することができる。同様の効果を奏するためには、係止部材が掌で握れるような形状になっていてもよい、本図の例は、係止部材は掌で握れるような形状にもなっているものであるといえる。
【００４５】
かかる効果を奏する形状とするためには、係止部材を本体に取り付けたときに、これが中棒のほぼ延長上に位置するようにする必要がある。そこで、係止部材を取り付けるための本体の溝又は穴は本体の中棒側に設けられることが望ましいことになる。
【００４６】
（係止部材と傘の柄本体の具体的形状、寸法の一例）
【００４７】
図１〜４に示した傘の柄は、手荷物を引っ掛けることができ、しかも傘をしっかり保持することができるための係止部材と傘の柄本体の最も好適な一例を示すものである。ここで改めて、かかる好適な傘の柄の具体的な形状、寸法について、図１〜４と同じものを示した図１０を参照しつつ説明する。
【００４８】
図１０は、本実施例の係止部材と傘の柄本体の具体的形状、寸法の一例を示す図である。本図に示す傘の柄の本体１０１０は、中心ｏ１・半径ｒ１の略半円をなすＲ形状部分と、これに連なる直線部分とからなる。半径ｒ１は例えば３〜５ｃｍ程度であり、直線部分の長さｌ１は例えば６〜１０ｃｍ程度である。また、傘の柄本体の断面は略正円でありその直径ｒ３は例えば１．５〜２ｃｍ程度である。係止部材１０２０を差し込むための溝１０３０はＲ形状部分と直線部分の境界付近から直線部分に沿って中棒軸心方向に形成され、その長さｌ２は例えば４〜８ｃｍ程度である。本図には現れないが図３などに示したように当該溝は略Ｔ字型の横断面を有し、係止部材を上から差し込んだ時にＴ字の縦棒に当たる部分の左右に張り出した部分に係止されて外側には外れない構造になっている。また、本図に示す係止部材の係止部１０２１は、半径ｒ２の円弧を有するＲ形状をなす。ｒ２の長さは例えばｒ１の長さと同程度である。このように、傘の柄本体と係止部がともにＲ形状を有することで、手荷物をスムーズに引っ掛けることができる。係止部の寸法は、例えば太さ（断面の直径）ｒ４が傘の柄本体の断面の直径（ｒ３）と同程度であり、長さｌ３は例えば１．５〜３ｃｍ程度である。係止部の頂部は略半球状をなしている。係止部がこのような寸法・形状を有することで、手荷物を容易に引っ掛けることができるとともに、傘をさしたときに係止部が掌の中央部付近（換言すれば、第３中手骨付近の筋肉）にあてがわれることとなり、傘をしっかりと保持することができる。
【００４９】
（その他）
【００５０】
ところで、傘を持ち歩く際に手荷物を持たないこともありうるが、このような場合には係止部材は不要と感じる場合も想定でき、また、係止部材がない方が見栄えがよいと感じる場合も想定できる。このように係止部材を取り付ける必要がない時には、単に係止部材を取り外した状態とするだけでもよい。しかし、溝や穴に埃がたまるのを防止するとか、見栄えをさらによくするといった観点からは、係止部材の代わりとなる部材を取り付けることができるようにしてもよい。この場合、後述するアクセサリーなどとして用いる部材を取り付けるようにしてもよいし、単純に溝や穴をふさぐための部材（ふさいだ場合にふつうの傘の柄と同様の形状となるような部材）を取り付けることができるようにしてもよい。
【００５１】
図６は、係止部材の非使用時用の部材と本体の組合せの一例を示す図である。図６（ａ）は図３等に示したのと同一の本体であり、（ｂ）に示したものは、この溝に取り付け可能であり、取り付けたときに本体の表面がちょうど本体の本来の表面と同一面を形成するような形状になっている部材の例である。つまり、図３等に示した係止部材から係止部を取り除いたのと同様の形状を有するものである。この場合、見栄えを良くするとの観点からは当該部材が本体と同じ材質、色彩などを有していることが望ましい。なお、図示は省略したが、かかる部材の着脱を容易にするために、当該部材に、指を挿入して引っ張ることができるリングなどを取り付けてもよい。
【００５２】
<効果>
【００５３】
本実施例の発明により、傘の柄に手荷物を引っ掛けることで傘と手荷物を片手で保持でき、かつ、傘をさしているときにしっかり保持できることを可能にし、合わせて、自分の傘を容易に判別できるようにすること、及び個性やファッション性の追求に応えることを可能にした傘、傘の柄およびこれに備えられる係止部材を提供することが可能となる。
【実施例２】
【００５４】
<概要>
【００５５】
本実施例の傘の柄は、実施例１の傘の柄と基本的に共通するが、溝又は穴が、差し込んだときの係止部材の突き当たりが凹状であることを特徴とするものである。
【００５６】
<構成>
【００５７】
（傘の柄の本体：溝又は穴）
【００５８】
本実施例の傘の柄の本体の溝又は穴は、差し込んだときの係止部材の突き当たりが凹状である。その目的は、係止部材を差し込んだ時に手荷物の重みでこれが外れることを防止する点にある。
【００５９】
前実施例で述べたように、手荷物を引っ掛けたときには、係止部材は手荷物の重みで、溝又は穴の本体外表面側の斜め下方向に引っ張られる。そこで、このような力が加わったときに係止部材が溝又は穴から外れることを防止するために、係止部材の突き当たりが凹状になっているようにしたものである。「係止部材の突き当たり側」とは溝又は穴の本体外表面側とは反対の方向をいう。また、「凹状」とは、溝又は穴の端部（係止部材を差し込んだ時に差し込み部が突き当たる部分）のうち、外表面側における端部よりも突き当たり側における端部の方が中棒に近い位置にあることをいう。前出の図３に即して平たく言えば、溝の外表面側の下端０３３０ａよりも突き当たり側の下端０３３０ｂの方が低い位置（中棒に近い位置）にあることをいう。同図に示した例では、溝の底面０３３１が溝の外表面側の下端０３３０ａから突き当たり側の下端０３３０ｂに向かって下り坂になっており、その斜面角度は水平線に対して約４５度である。この例の場合、係止部材の底面も好適にはこれと同じ角度の傾斜面を有し、係止部材を溝に差し込んだ時にぴったりと嵌るように構成される。
【００６０】
<効果>
【００６１】
本実施例の発明により、係止部材を差し込んだ時に手荷物の重みでこれが外れることを防止することができる。
【実施例３】
【００６２】
<概要>
【００６３】
本実施例の傘の柄は、実施例１または２の傘の柄と基本的に共通するが、係止部材の係止部が貫通穴を有することを特徴とするものである。
【００６４】
<構成>
【００６５】
（係止部材）
【００６６】
本実施例の傘の柄は、係止部材の係止部が貫通穴を有する。
【００６７】
図７は、かかる係止部が貫通穴を有する係止部材の形状の一例を示す図である。かかる貫通穴を設ける目的は、ここに携帯ストラップなどのアクセサリーなどを取り付けることができるようにすることにある。また、これを様々なデザインのものと交換できるようにすることもできる。このようにすることにより、他人の傘との区別を容易にしたり、自己の個性やファッション性に適う傘としたりといったことが可能となるので、個性やファッション性にも配慮した傘の柄や傘を提供することができる。図７に示した貫通穴は水平方向に穿たれているが、貫通穴の貫通方向に特に限定はない。
【００６８】
図８は、同様の目的から、様々なものを係止部材に設けた例を示す。（ａ）は色や模様を変えた例、（ｂ）はＬＥＤライトを取り付けた例、（ｃ）はキャラクターを取り付けた例である。
【００６９】
<効果>
【００７０】
本実施例の発明により、個性やファッション性にも配慮した傘の柄や傘を提供することができる。
【図１】
0005759255.tif 000002
【図２】
0005759255.tif 000003
【図３】
0005759255.tif 000004
【図４】
0005759255.tif 000005
【図５】
0005759255.tif 000006
【図６】
0005759255.tif 000007
【図７】
0005759255.tif 000008
【図８】
0005759255.tif 000009
【図９】
0005759255.tif 000010
【図１０】
0005759255.tif 000011